【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
超広帯域の周波数範囲に必要な寸法とされ、無線通信装置のアナログフロントエンド回路に取付可能なマイクロ波信号用のモノポールアンテナ（１００）において、
底面（２０２ａ’）と、該底面（２０２ａ’）に取り付けられた共振素子（２０２ａ）とを有する放射素子（２０２）として機能する３次元空胴構造と、
アンテナ給電回路（２１１）と、
上記アンテナ給電回路（２１１）を上記放射素子（２０２）の底面（２０２ａ’）に接続する給電線（２０２ｂ）と、
上記底面（２０２ａ’）に対向しており、上記３次元空胴構造の外側に設けられた金属製の地板（２０４）とを備え、
上記アナログフロントエンド回路の少なくとも幾つかの部分（２０７）は、当該モノポールアンテナ（１００）の上記放射素子（２０２）内に配置されていることを特徴とするモノポールアンテナ。
【請求項２】
上記底面（２０２ａ’）に対向し、上記共振素子（２０２ａ）に取り付けられ、放射素子として機能する放射面（２０２ｂ’）を備える請求項１記載のモノポールアンテナ。
【請求項３】
上記放射素子（２０２）内に配置されたアナログフロントエンド回路は、帯域選択フィルタリング手段（２０７ａ）と、増幅手段（２０７ｂ）と、バンドパスフィルタリング手段（２０７ｃ）とのうちの少なくとも１つを含むことを特徴とする請求項１記載のモノポールアンテナ。
【請求項４】
上記放射素子（２０２）は、円形断面及び円錐構造を有する回転対称形状であることを特徴とする請求項１乃至３のいずれか１項記載のモノポールアンテナ。
【請求項５】
上記放射素子（２０２）は、円形断面及び円錐構造を有する回転対称形状の第１の部分（３００ｂ１）と、該円錐状の第１の部分（３００ｂ１）の円形底面に合同の円形上面を有する閉じた真円柱状の第２の部分（３００ｂ２）とを有し、該真円柱状の第２の部分（３００ｂ２）の円形上面は、該第１の部分（３００ｂ１）の合同の円形底面の上方で同軸に配置されていることを特徴とする請求項１乃至３のいずれか１項記載のモノポールアンテナ。
【請求項６】
上記放射素子（２０２）は、円形断面、円錐構造及び凹状の３次元曲面を有する回転対称形状を有していることを特徴とする請求項１乃至３のいずれか１項記載のモノポールアンテナ。
【請求項７】
上記放射素子（２０２）は、円形断面、円錐構造及び凹状の３次元曲面を有する回転対称形状の第１の部分（３００ｄ１）と、該円錐状の第１の部分（３００ｄ１）の円形底面に合同の円形上面を有する閉じた真円柱状の第２の部分（３００ｄ２）とを有し、該真円柱状の第２の部分（３００ｄ２）の円形上面は、該凹状の第１の部分（３００ｄ１）の合同の円形底面の上方で同軸に配置されていることを特徴とする請求項１乃至３のいずれか１項記載のモノポールアンテナ。
【請求項８】
上記放射素子（２０２）は、円形断面、円錐構造及び凸状の３次元曲面を有する回転対称形状を有していることを特徴とする請求項１乃至３のいずれか１項記載のモノポールアンテナ。
【請求項９】
上記放射素子（２０２）は、円形断面、円錐構造及び凸状の３次元曲面を有する回転対称形状の第１の部分（３００ｆ１）と、該円錐状の第１の部分（３００ｆ１）の円形底面に合同の円形上面を有する閉じた真円柱状の第２の部分（３００ｆ２）とを有し、該真円柱状の第２の部分（３００ｆ２）の上面は、該凸状の第１の部分（３００ｆ１）の合同の円形底面の上方で同軸に配置されていることを特徴とする請求項１乃至３のいずれか１項記載のモノポールアンテナ。
【請求項１０】
上記放射素子（２０２）は、底面が四角形である正四角錐台形状を有していることを特徴とする請求項１乃至３のいずれか１項記載のモノポールアンテナ。
【請求項１１】
上記放射素子（２０２）は、正四角錐台状の第１の部分（３００ｈ１）と、該正四角錐台状の第１の部分（３００ｈ１）の四角形底面に合同の四角形上面を有する閉じた正直方体状の第２の部分（３００ｈ２）とを有し、該正直方体状の第２の部分（３００ｈ２）の四角形上面は、該正四角錐台状の第１の部分（３００ｈ１）の合同の四角形底面の上方で合同に配置されていることを特徴とする請求項１乃至３のいずれか１項記載のモノポールアンテナ。
【請求項１２】
上記放射素子（２０２）は、長手方向に延在する４つのＶ字状の放射状切込みを有する真円柱形状を有しており、該Ｖ字状の放射状切込みは、該円柱の円周において方位角方向に等間隔で設けられており、該放射素子（２０２）の断面は、２つの細長い楕円構造が直交した形状を有することを特徴とする請求項１乃至３のいずれか１項記載のモノポールアンテナ。
【請求項１３】
上記放射素子（２０２）は、長手方向に延在する４つのＶ字状の放射状切込みを有する半球形状を有しており、該Ｖ字状の放射状切込みは、該半球の円周において方位角方向に等間隔で設けられており、放射素子（２０２）の断面は、２つの細長い楕円構造が直交した形状を有することを特徴とする請求項１乃至３のいずれか１項記載のモノポールアンテナ。
【請求項１４】
上記放射素子（２０２）は、同じ又は異なる高さを有し、それぞれ円形断面、円錐構造及び凸状の３次元曲面を有する回転対称形状の少なくとも２つの部分（３００ｋ１、３００ｋ２、３００ｋ３、３００ｋ４、・・・、３００ｋｎ）を有し、該部分（３００ｋ２、３００ｋ３、３００ｋ４、・・・、３００ｋｎ）は、それぞれ、該部分（３００ｋ１、３００ｋ２、３００ｋ３、・・・、３００ｋｎ）のうちの１つの円形底面に合同である円形上面を有し、該部分（３００ｋ１、３００ｋ２、３００ｋ３、３００ｋ４、・・・、３００ｋｎ）は、半径の順に積み重ねられ、該部分（３００ｋ２、３００ｋ３、３００ｋ４、・・・、３００ｋｎ）の円形上面は、それぞれ、隣接したより小径の部分（３００ｋ１、３００ｋ２、３００ｋ３）の合同の円形底面の上方で同軸に配置されていることを特徴とする請求項１乃至３のいずれか１項記載のモノポールアンテナ。
【請求項１５】
上記放射素子（２０２）は、底面が円形である真円錐台形状の第１の部分（３００ｌ１）と、それより高さが低く開口角が大きい、閉じた真円錐形状を有する第２の部分（３００ｌ２）とを有し、該第２の部分（３００ｌ２）の円錐の頂点は、該第１の部分（３００ｌ１）の円形底面の中心に同軸上に配置されていることを特徴とする請求項１乃至３のいずれか１項記載のモノポールアンテナ。
【請求項１６】
上記アンテナ給電回路（２１１）を上記放射素子（２０２）の底面（２０２ａ’）に接続する上記給電線（２０２ｂ）は、同軸ケーブルであることを特徴とする請求項１乃至１５のいずれか１項記載のモノポールアンテナ。
【請求項１７】
上記アンテナ給電回路（２１１）を上記放射素子（２０２）の底面（２０２ａ’）に接続する上記給電線（２０２ｂ）は、マイクロストリップラインであることを特徴とする請求項１乃至１５のいずれか１項記載のモノポールアンテナ。
【請求項１８】
上記放射素子（２０２）は、全体のサイズが１ｃｍ３未満であることを特徴とする請求項１乃至１７のいずれか１項記載のモノポールアンテナ。
【請求項１９】
請求項１乃至１８のいずれか１項記載のモノポールアンテナ（１００）を備える無線通信装置のＲＦ送受信機。
【請求項２０】
金属製の地板（２０４）に対して上記モノポールアンテナ（１００）と反対側に他のモノポールアンテナ（１００’）を対称的に取り付け、超広帯域の周波数範囲に対して必要な寸法のダイポールアンテナを形成していることを特徴とする請求項１９記載のＲＦ送受信機。
【請求項２１】
請求項１９又は２０記載のＲＦ送受信機を有する無線インターフェースを備える電子装置。